【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
送信データと制御データとが入力され、プリアンブルシンボルとペイロードシンボルとから構成される送信信号を送信する送信部と、
プリアンブルシンボルとペイロードシンボルとから構成される受信信号を受信し、前記受信信号に基づく受信データを生成する受信部と
を有し、
前記送信部は、
前記制御データに基づく送信パラメータセット及び該送信パラメータセットに対応するプリアンブルパターン番号を生成する送信パラメータ生成部と、
前記送信パラメータ生成部によって生成された前記送信パラメータセットに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有し、
前記受信部は、
時間領域の前記受信信号を受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて前記制御データ及び前記制御データを受信するための受信パラメータセットの少なくとも一方を出力する受信パラメータ生成部と、
前記伝送路推定部によって生成された前記伝送路推定結果と、前記受信パラメータ生成部によって生成された前記制御データ及び前記受信パラメータセットの少なくとも一方とを用いて、前記受信信号に基づく周波数領域における受信データを生成する受信データ生成部と
を有する
ことを特徴とする通信装置。
【請求項２】
前記送信信号のペイロードシンボルは、前記制御データを含まないことを特徴とする請求項１に記載の通信装置。
【請求項３】
送信データと制御データとが入力され、プリアンブルシンボルとペイロードシンボルとから構成される送信信号を送信する送信装置であって、
前記制御データに基づく送信パラメータセット及び該送信パラメータセットに対応するプリアンブルパターン番号を生成する送信パラメータ生成部と、
前記送信パラメータ生成部によって生成された前記送信パラメータセットに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有することを特徴とする送信装置。
【請求項４】
前記送信信号のペイロードシンボルは、前記制御データを含まないことを特徴とする請求項３に記載の送信装置。
【請求項５】
プリアンブルシンボルとペイロードシンボルとから構成される受信信号を受信し、前記受信信号に基づく受信データを生成する受信装置であって、
時間領域の前記受信信号を受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて前記ペイロードシンボルの受信のための制御データ及び前記制御データを受信するための受信パラメータセットの少なくとも一方を出力する受信パラメータ生成部と、
前記伝送路推定部によって生成された前記伝送路推定結果と、前記受信パラメータ生成部によって生成された前記制御データ及び前記受信パラメータセットの少なくとも一方とを用いて、前記受信信号に基づく周波数領域における受信データを生成する受信データ生成部と
を有することを特徴とする受信装置。
【請求項６】
送信データと制御データとが入力され、プリアンブルシンボルとペイロードシンボルとから構成される送信信号を送信する送信装置と、
前記送信信号を受信信号として受信し、前記受信信号に基づく受信データを生成する受信装置と
を有し、
前記送信装置は、
前記制御データに基づく送信パラメータセット及び該送信パラメータセットに対応するプリアンブルパターン番号を生成する送信パラメータ生成部と、
前記送信パラメータ生成部によって生成された前記送信パラメータセットに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有し、
前記受信装置は、
時間領域の前記送信信号を受信信号として受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて前記制御データ及び前記制御データを受信するための受信パラメータセットの少なくとも一方を出力する受信パラメータ生成部と、
前記伝送路推定部によって生成された前記伝送路推定結果と、前記受信パラメータ生成部によって生成された前記制御データ及び前記受信パラメータセットの少なくとも一方とを用いて、前記受信信号に基づく周波数領域における受信データを生成する受信データ生成部と
を有する
ことを特徴とする通信システム。
【請求項７】
前記送信信号のペイロードシンボルは、前記制御データを含まないことを特徴とする請求項６に記載の通信システム。
【請求項８】
送信データと制御データとが入力され、プリアンブルシンボルとペイロードシンボルとから構成される送信信号を送信する送信部と、
プリアンブルシンボルとペイロードシンボルとから構成される受信信号を受信し、前記受信信号に基づく受信データを生成する受信部と
を有し、
前記送信部は、
前記制御データに基づく送信パラメータセット及び該送信パラメータセットに対応するプリアンブルパターン番号を生成する送信パラメータ生成部と、
前記制御データと前記送信パラメータ生成部によって生成された前記送信パラメータセットとに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有し、
前記受信部は、
時間領域の前記受信信号を受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて周波数インターリーブパターンを生成する受信パラメータ生成部と、
前記伝送路推定部によって生成された前記伝送路推定結果と、前記受信パラメータ生成部によって生成された前記周波数インターリーブパターンを用いて、前記受信信号に基づく周波数領域における受信データを生成する受信データ生成部と
を有する
ことを特徴とする通信装置。
【請求項９】
前記ペイロード生成部は、
前記送信データに誤り訂正符号化を施す誤り訂正符号化部と、
前記誤り訂正符号化された送信データを多値変調して、周波数領域におけるシンボルを生成するデータマップ部と、
前記周波数領域におけるシンボルを周波数インターリーブする周波数インターリーブ部と
を含むことを特徴とする請求項８に記載の通信装置。
【請求項１０】
前記周波数インターリーブ部が使用する周波数インターリーブパターンは、前記周波数インターリーブ部によって使用される全帯域の複数のサブキャリアの内の予め決められた個数のサブキャリアに前記制御データを配置し、前記予め決められた個数のサブキャリアは前記全帯域の複数のサブキャリアにおいて点在するように配置された分散型のパターンであることを特徴とする請求項９に記載の通信装置。
【請求項１１】
前記周波数インターリーブ部が使用する周波数インターリーブパターンは、前記周波数インターリーブ部によって使用される全帯域の複数のサブキャリアの内の予め決められた個数のサブキャリアに前記制御データを配置し、前記予め決められた個数のサブキャリアは前記全帯域の複数のサブキャリアにおいて１カ所に集中する集中型のパターンであることを特徴とする請求項９に記載の通信装置。
【請求項１２】
前記周波数インターリーブ部が使用する周波数インターリーブパターンは、前記周波数インターリーブ部によって使用される全帯域の複数のサブキャリアの内の予め決められた個数のサブキャリアに前記制御データを配置し、前記予め決められた個数のサブキャリアは前記全帯域の複数のサブキャリアにおいて点在するように配置され、且つ、前記点在する複数箇所の各々において前記制御データが配置された複数のサブキャリアが集中するパターンであることを特徴とする請求項９に記載の通信装置。
【請求項１３】
前記ペイロード生成部は、
前記送信パラメータ生成部によって生成された前記送信パラメータセットに基づいて、前記送信データから周波数領域におけるペイロード信号を生成する第１の動作モードと、
前記送信パラメータ生成部によって生成された前記送信パラメータセットに基づいて、前記送信データと前記制御データとから周波数領域におけるペイロード信号を生成する第２の動作モードとのいずれかを選択可能である
ことを特徴とする請求項８に記載の通信装置。
【請求項１４】
送信データと制御データとが入力され、プリアンブルシンボルとペイロードシンボルとから構成される送信信号を送信する送信装置であって、
前記制御データに基づく送信パラメータセット及び該送信パラメータセットに対応するプリアンブルパターン番号を生成する送信パラメータ生成部と、
前記制御データと前記送信パラメータ生成部によって生成された前記送信パラメータセットとに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有することを特徴とする送信装置。
【請求項１５】
プリアンブルシンボルとペイロードシンボルとから構成される受信信号を受信し、前記受信信号に基づく受信データを生成する受信装置であって、
時間領域の前記受信信号を受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて周波数インターリーブパターンを生成する受信パラメータ生成部と、
前記伝送路推定部によって生成された前記伝送路推定結果と、前記受信パラメータ生成部によって生成された前記周波数インターリーブパターンを用いて、前記受信信号に基づく周波数領域における受信データを生成する受信データ生成部と
を有することを特徴とする受信装置。
【請求項１６】
送信データと制御データとが入力され、プリアンブルシンボルとペイロードシンボルとから構成される送信信号を送信する送信装置と、
前記送信信号を受信信号として受信し、前記受信信号に基づく受信データを生成する受信装置と
を有し、
前記送信装置は、
前記制御データに基づく送信パラメータセット及び該送信パラメータセットに対応するプリアンブルパターン番号を生成する送信パラメータ生成部と、
前記制御データと前記送信パラメータ生成部によって生成された前記送信パラメータセットとに基づいて、前記送信データから周波数領域におけるペイロード信号を生成するペイロード生成部と、
前記送信パラメータ生成部によって生成された前記プリアンブルパターン番号に基づく、周波数領域におけるプリアンブル信号を生成するプリアンブル生成部と、
前記ペイロード生成部によって生成された前記ペイロード信号と前記プリアンブル生成部によって生成された前記プリアンブル信号とから、時間領域における前記送信信号を生成する送信信号生成部と
を有し、
前記受信装置は、
時間領域の前記受信信号を受け取り、周波数領域における受信プリアンブル信号と周波数領域における受信ペイロード信号とを生成する周波数領域信号生成部と、
前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、
前記プリアンブル識別部から与えられた前記受信プリアンブルパターン番号に応じて、伝送路推定結果を生成する伝送路推定部と、
前記プリアンブル識別部の出力に基づいて周波数インターリーブパターンを生成する受信パラメータ生成部と、
前記伝送路推定部によって生成された前記伝送路推定結果と、前記受信パラメータ生成部によって生成された前記周波数インターリーブパターンを用いて、前記受信信号に基づく周波数領域における受信データを生成する受信データ生成部と
を有する
ことを特徴とする通信システム。
【手続補正２】
【補正対象書類名】明細書
【補正対象項目名】０００８
【補正方法】変更
【補正の内容】
【０００８】
本発明の一態様に係る通信装置は、送信データと制御データとが入力され、プリアンブルシンボルとペイロードシンボルとから構成される送信信号を送信する送信部と、プリアンブルシンボルとペイロードシンボルとから構成される受信信号を受信し、前記受信信号に基づく受信データを生成する受信部とを有し、
前記送信部は、前記制御データに基づく送信パラメータセット及び該送信パラメータセットに対応するプリアンブルパターン番号を生成する送信パラメータ生成部と、前記送信パラメータ生成部によって生成された前記送信パラメータセットに基づいて、前記送信データから周波数領域におけるペイロード信号を生成するペイロード生成部と、前記送信パラメータ生成部によって生成された前記プリアンブルパターン番号に基づく、周波数領域におけるプリアンブル信号を生成するプリアンブル生成部と、前記ペイロード生成部によって生成された前記ペイロード信号と前記プリアンブル生成部によって生成された前記プリアンブル信号とから、時間領域における前記送信信号を生成する送信信号生成部とを有し、
前記受信部は、時間領域の前記受信信号を受け取り、周波数領域における受信プリアンブル信号と周波数領域における受信ペイロード信号とを生成する周波数領域信号生成部と、前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、前記プリアンブル識別部から与えられた前記受信プリアンブルパターン番号に応じて、伝送路推定結果を生成する伝送路推定部と、前記プリアンブル識別部の出力に基づいて前記制御データ及び前記制御データを受信するための受信パラメータセットの少なくとも一方を出力する受信パラメータ生成部と、前記伝送路推定部によって生成された前記伝送路推定結果と、前記受信パラメータ生成部によって生成された前記制御データ及び前記受信パラメータセットの少なくとも一方とを用いて、前記受信信号に基づく周波数領域における受信データを生成する受信データ生成部とを有することを特徴とする。
【手続補正３】
【補正対象書類名】明細書
【補正対象項目名】０００９
【補正方法】変更
【補正の内容】
【０００９】
本発明の他の態様に係る通信装置は、送信データと制御データとが入力され、プリアンブルシンボルとペイロードシンボルとから構成される送信信号を送信する送信部と、プリアンブルシンボルとペイロードシンボルとから構成される受信信号を受信し、前記受信信号に基づく受信データを生成する受信部とを有し、
前記送信部は、前記制御データに基づく送信パラメータセット及び該送信パラメータセットに対応するプリアンブルパターン番号を生成する送信パラメータ生成部と、前記制御データと前記送信パラメータ生成部によって生成された前記送信パラメータセットとに基づいて、前記送信データから周波数領域におけるペイロード信号を生成するペイロード生成部と、前記送信パラメータ生成部によって生成された前記プリアンブルパターン番号に基づく、周波数領域におけるプリアンブル信号を生成するプリアンブル生成部と、前記ペイロード生成部によって生成された前記ペイロード信号と前記プリアンブル生成部によって生成された前記プリアンブル信号とから、時間領域における前記送信信号を生成する送信信号生成部とを有し、
前記受信部は、時間領域の前記受信信号を受け取り、周波数領域における受信プリアンブル信号と周波数領域における受信ペイロード信号とを生成する周波数領域信号生成部と、前記周波数領域信号生成部によって生成された前記受信プリアンブル信号から、複数のサブキャリアの受信プリアンブルパターンの相関性を検出し、複数のサブキャリアの受信プリアンブルパターンの中の最も相関性の高い受信プリアンブルパターンを示す受信プリアンブルパターン番号を提供するプリアンブル識別部と、前記プリアンブル識別部から与えられた前記受信プリアンブルパターン番号に応じて、伝送路推定結果を生成する伝送路推定部と、前記プリアンブル識別部の出力に基づいて周波数インターリーブパターンを生成する受信パラメータ生成部と、前記伝送路推定部によって生成された前記伝送路推定結果と、前記受信パラメータ生成部によって生成された前記周波数インターリーブパターンを用いて、前記受信信号に基づく周波数領域における受信データを生成する受信データ生成部とを有することを特徴とする。